(57)【要約】【課題】陽イオン交換膜の経時疲労の回復及び汚れ成分の除去を簡易にかつ安価に行うことのできるオゾン水生成方法を提供する。【解決手段】陽イオン交換膜２１a〜２１cの一方の面に陽極電極２２を圧接し、他方の面に陰極電極２３を圧接し、陽極電極２２及び陰極電極２３に水を供給するとともに陽極電極２２と陰極電極２３との間に直流電圧を印加することによってオゾン水を生成するオゾン水生成方法において、陽極電極２２及び陰極電極２３に水を供給することによって吸水状態となった陽イオン交換膜２１a〜２１cに、正極性の直流電圧を印加してオゾン水を生成した後、一定時間以上の無通電時間を置いて、逆極性の直流電圧を印加することにより陽イオン交換膜２１a〜２１cに変位を与える。【選択図】図１
2008150665.tif 000002
【特許請求の範囲】
【請求項１】
陽イオン交換膜の一方の面に陽極電極を圧接し、他方の面に陰極電極を圧接し、前記陽極電極及び前記陰極電極に水を供給するとともに前記陽極電極と前記陰極電極との間に直流電圧を印加することによってオゾン水を生成するオゾン水生成方法において、
前記陽極電極及び前記陰極電極に水を供給することによって吸水状態となった前記陽イオン交換膜に、正極性の直流電圧を印加してオゾン水を生成した後、一定時間以上の無通電時間を置いて、逆極性の直流電圧を印加することにより前記陽イオン交換膜に変位を与えることを特徴とするオゾン水生成方法。
【請求項２】
前記一定時間以上の無通電時間を１分間以上とすることを特徴とする請求項１に記載のオゾン水生成方法。
【請求項３】
前記陽イオン交換膜は、複数枚重ねられていることを特徴とする請求項１又は２に記載のオゾン水生成方法。
【請求項４】
前記複数の陽イオン交換膜は、互いに質量が異なるものであることを特徴とする請求項３に記載のオゾン水生成方法。
【請求項５】
前記通電は、パルス波電流を印加することを特徴とする請求項１〜４のいずれか一項に記載のオゾン水生成方法。
【請求項６】
前記陽イオン交換膜の一方の面に前記陽極電極が圧接し、他方の面に前記陰極電極が圧接することによって、前記陽イオン交換膜は前記陽極電極と前記陰極電極との間で保持されて、前記陽イオン交換膜の前記陽極電極面側及び前記陰極電極面側以外の周面がフリーな状態とされていることを特徴とする請求項１〜５のいずれか一項に記載のオゾン水生成方法。
【発明の詳細な説明】
【技術分野】
【０００１】
本発明は、陽イオン交換膜の経時疲労と不純物の付着に起因する膜性能の低下を防止することのできるオゾン水生成方法に関する。
【背景技術】
【０００２】
現在、産業用に普及しているオゾン水の製法は、大別して放電により生成したオゾンガスに溶解させるガス溶解法、電解により生成したオゾンガスを水に溶解させる電解ガス溶解法、電解面に原料水を直接接触させてオゾン水を生成させる直接電解法（例えば、特許文献１参照）の３方式が実用されている。直接電解法は、ガス溶解法や電解ガス溶解法に比べて、より簡単な方法で高濃度のオゾン水を生成できると知られている。
このような直接電解法は、具体的には、ケーシング内を固形電解質膜によって陽極室と陰極室とに仕切り、陽極室側の固形電解室膜面に陽極電極を、陰極室側の固形電解質膜面に陰極電極をそれぞれ圧接して設けた装置を使用して、陽極室及び陰極室に水を供給するとともに陽極電極と陰極電極との間に直流電圧を印加することによってオゾン水を生成している。
しかし、上記装置においてオゾン水生成運転を継続すると、オゾン水の濃度が次第に低下する現象が観察されている。この原因としては、継続運転することによって固形電解質膜の分子配列が少しずつ乱れることによって、膜の性能が低下するためであることが知られている。また、継続運転によって固形電解質膜の陰極側の表面にカルシウムやマグネシウムなどの汚れ成分（主として硬度成分）が付着し、これらの汚れ成分によってもオゾン水生成効率が阻害されるという問題がある。
そこで、固形電解質膜自体の性能の劣化防止として、陽極電極と陰極電極の両方を液圧シリンダによって固形電解質膜に対して圧接及び離脱可能に設け、直流電圧の印加時に液圧シリンダを前進作動させて陽極電極及び陰極電極を固形電解質膜に圧接させ、直流電圧のオフ時に液圧シリンダを後退作動させて陽極電極及び陰極電極を固形電解質膜から離脱させることにより、固形電解質膜が再び電解に使用し得る回復状態になる所定時間の間停止させる技術がある（例えば、特許文献２参照）。
【特許文献１】特開平８−１３４６７８号公報
【特許文献２】特開平１１−１７２４８２号公報
【発明の開示】
【発明が解決しようとする課題】
【０００３】
しかしながら、上記特許文献２に記載の装置では、陽極電極及び陰極電極を固形電解質膜から圧接・離脱するために液圧シリンダといった機械的な手段が必要なため、装置が極めて複雑で大型化し、高価になるという問題がある。
本発明は、上記事情に鑑みてなされたもので、陽イオン交換膜の経時疲労の回復及び汚れ成分の除去を簡易にかつ安価に行うことのできるオゾン水生成方法を提供することを目的としている。
【課題を解決するための手段】
【０００４】
上記課題を解決するため、請求項１の発明は、例えば図１に示すように、
陽イオン交換膜２１a〜２１cの一方の面に陽極電極２２を圧接し、他方の面に陰極電極２３を圧接し、前記陽極電極及び前記陰極電極に水を供給するとともに前記陽極電極と前記陰極電極との間に直流電圧を印加することによってオゾン水を生成するオゾン水生成方法において、
前記陽極電極及び前記陰極電極に水を供給することによって吸水状態となった前記陽イオン交換膜に、正極性の直流電圧を印加してオゾン水を生成した後、一定時間以上の無通電時間を置いて、逆極性の直流電圧を印加することにより前記陽イオン交換膜に変位を与えることを特徴とする。
【０００５】
請求項１の発明によれば、吸水状態となった陽イオン交換膜に正極性の直流電圧を印加してオゾン水を生成した後、一定時間以上の無通電時間を置いて、逆極性の直流電圧を印加することにより、陽イオン交換膜の分子配列をみだりに撹乱することなく陽イオン交換膜に電気刺激が与えられて、電歪現象により、陽イオン交換膜の分子配列の乱れが矯正されて、元の膜性能に復帰させることができる。その結果、陽イオン交換膜の経時疲労の回復と、陽イオン交換膜に付着したカルシウムやマグネシウム等といった汚れ成分を除去することができる。これによって、陽イオン交換膜の性能が低下することなく、オゾン水生成効率の向上を図ることができる。また、従来のように液圧シリンダといった機械的な手段を必要とせずに、装置も単純となり小型化を図れ、安価に製造することができる。
無通電時間を置かずに逆極性の直流電圧を印加した場合、陽イオン交換膜の分子配列が一層大きく乱されて、次に正極性の直流電圧を印加してオゾン水を生成しても逆に性能を低下させてしまったり、性能の回復が不能になったりすることがあるためである。
【０００６】
請求項２の発明は、請求項１に記載のオゾン水生成方法において、
前記一定時間以上の無通電時間を１分間以上とすることを特徴とする。
【０００７】
請求項２の発明によれば、１分間以上の無通電時間を置くことによって、無通電時間後に逆極性の直流電圧を印加して電歪現象を起こさせると、陽イオン交換膜は無通電時間（休止時間）の間に正常な状態に復帰しようとする状態に入る。そして、逆極性の直流電圧を印加すると陽イオン交換膜の分子配列が正しく矯正されて、次に正極性の直流電圧を印加してオゾン水を生成した場合には、経時疲労や汚れ成分の除去はほぼ初期状態に近い性能を示すまで回復させることができる。
【０００８】
請求項３の発明は、請求項１又は２に記載のオゾン水生成方法において、
前記陽イオン交換膜は、複数枚重ねられていることを特徴とする。
【０００９】
請求項３の発明によれば、陽イオン交換膜は複数枚重ねられているので、逆極性の直流電圧を印加した場合に見られる電歪現象は、陽イオン交換膜を同じ厚さの１枚の膜にした場合に比べて、薄い複数枚の膜とした場合の方が大きく変位し、汚れを落とし易くなる。特に、カルシウムやマグネシウムなどの汚れ成分の大部分は陰極電極に接している膜の、陰極電極側に付着するので、陰極電極に接触している膜には薄い陽イオン交換膜を使用することが効果的である。
【００１０】
請求項４の発明は、請求項３に記載のオゾン水生成方法において、
前記複数の陽イオン交換膜は、互いに質量が異なるものであることを特徴とする。
【００１１】
厚さの厚い陽イオン交換膜は電気抵抗がそれだけ大きく、高い電圧を維持するのでオゾン発生には有利である。一方、電歪現象を利用して付着した汚れを落とすためには、厚さの薄い膜が有利である。これら両方を実現するためには、オゾンを発生する陽極電極側の陽イオン交換膜には厚い膜を、陰極電極側の陽イオン交換膜には薄い膜を使用することが有効である。
請求項４の発明によれば、複数の陽イオン交換膜は互いに質量が異なるものであるので、オゾン発生にも、付着した汚れを落とすにも有効なオゾン水生成方法を実現することができる。
【００１２】
請求項５の発明は、請求項１〜４のいずれか一項に記載のオゾン水生成方法において、  前記通電は、パルス波電流を印加することを特徴とする。
【００１３】
請求項５の発明によれば、パルス波電流を印加することによって通電するので、電歪現象を繰り返し起こさせることで、陽イオン交換膜の膜性能の劣化をより回復させることができる。特に、カルシウムやマグネシウム等の除去に有効となる。
【００１４】
請求項６の発明は、請求項１〜５のいずれか一項に記載のオゾン水生成方法において、  前記陽イオン交換膜の一方の面に前記陽極電極が圧接し、他方の面に前記陰極電極が圧接することによって、前記陽イオン交換膜は前記陽極電極と前記陰極電極との間で保持されて、前記陽イオン交換膜の前記陽極電極面側及び前記陰極電極面側以外の周面がフリーな状態とされていることを特徴とする。
【００１５】
請求項６の発明によれば、陽イオン交換膜が陽極電極と陰極電極との間で保持されて、陽イオン交換膜の陽極電極面側及び陰極電極面側以外の周面がフリーな状態とされているので、陽イオン交換膜の変位が阻害されずに、電歪現象を起こし易く保持することができる。
【発明の効果】
【００１６】
本発明によれば、陽イオン交換膜の経時疲労の回復と、付着した汚れ成分の除去を簡易かつ安価に行うことができ、オゾン水生成効率の向上を図ることができる。
【発明を実施するための最良の形態】
【００１７】
以下、本発明の実施の形態について図面を参照しながら説明する。
図１は、オゾン水生成装置１００の側断面図であり、 (a)は、陽イオン交換膜２１a〜２１cを強く圧接した場合を示し、(b)は、電歪現象を起こしやすくするため陽イオン交換膜２１a〜２１cを軽く接触した場合を示したものである。
まず、本発明に係るオゾン水生成方法で使用するオゾン水生成装置１００について説明する。オゾン水生成装置１００は、原料水（例えば、水道水）が流入されるケーシング１内に触媒電極２を配置して構成したもので、触媒電極２に正極性の直流電圧を印加することによって微細オゾン気泡を発生させて、発生間近の微細オゾン気泡を水に溶解させることによりオゾン水を生成し、生成後、逆極性の直流電圧を印加することによって触媒電極２の陽イオン交換膜２１の経時疲労の回復及び汚れ成分の除去を行うことのできる装置である。
【００１８】
具体的には、ケーシング１は、長尺な筒状をなし、ケーシング１内の略中央部に触媒電極２が配置されて、これによってケーシング１内の空間が陽極室１１Ａと陰極室１１Ｂとに仕切られている。また、ケーシング１の上端部には、陽極室１１Ａに連通し、水が供給される陽極側供給口１２Ａと、陰極室１１Ｂに連通し、水が供給される陰極側供給口１２Ｂとがそれぞれ形成されている。陽極側供給口１２Ａには陽極室１１Ａに通じる陽極側供給路１３Ａが形成され、陰極側供給口１２Ｂには陰極室１１Ｂに通じる陰極側供給路１３Ｂが形成されている。また、陽極側供給口１２Ａ及び陰極側供給口１２Ｂには、例えば、図示しないが水が貯留されたタンクに接続された低吐出圧の小型ポンプや水道栓に連結されている。
一方、ケーシング１の下端部には、陽極室１１Ａに連通し、陽極室１１Ａで生成されたオゾン水が排出される陽極側排出口１４Ａと、陰極室１１Ｂで生成された水素水等が排出される陰極側排出口１４Ｂとがそれぞれ形成されている。陽極排出口１４Ａには陽極室１１Ａに通じる陽極側排出路１５Ａが形成され、陰極側排出口１４Ｂには陰極室１１Ｂに通じる陰極側排出路１５Ｂが形成されている。陽極側排水口１４Ａには、例えば図示しないが、ケーシング１内で生成されたオゾン水を貯留するタンクに接続するためのポンプやノズル等に連結されている。陰極側排水口１４Ｂには、例えば図示しないが、ケーシング１内で生成された水素水を貯留するタンクに接続するためのポンプやノズル等に連結されている。
また、陽極側供給口１２Ａと陰極側供給口１２Ｂとの間のケーシング１の内壁面には、後述する複数枚の陽イオン交換膜２１a〜２１cの上端部が挿入される挿入穴１６が形成され、陽極側排出口１４Ａと陰極側排出口１４Ｂとの間のケーシング１の内壁面には、複数枚の陽イオン交換膜２１a〜２１cの下端部が挿入される挿入穴１７が形成されている。
このようなケーシング１において、陽極側供給口１２Ａ及び陰極側供給口１２Ｂから水が供給され、陽極側供給路１３Ａ、陽極側排出路１５Ａ、陰極側供給路１３Ｂ及び陰極側排出路１５Ｂを通って、陽極側排出口１４Ａ及び陰極側排出口１４Ｂへと水流が発生している。
【００１９】
触媒電極２は、互いに対向して配置された複数枚の陽イオン交換膜２１a〜２１cと、陽イオン交換膜２１aの陽極室１１Ａ側を向く一方の面に圧接された陽極電極２２と、陽イオン交換膜２１cの陰極室側１１Ｂを向く他方の面に圧接された陰極電極２３とを備えている。
ケーシング１の内壁面のうち陽極室１１Ａ側を向く面には凹部が形成されて、この凹部内に陽極電極２２を保持する保持板１８Ａが取り付けられて、陽極電極２２が保持板１８Ａに保持されている。同様に、ケーシング１の内壁面のうち陰極室１１Ｂ側を向く面に凹部が形成されて、この凹部内に陰極電極２３を保持する保持板１８Ｂが取り付けられて、陰極電極１１Ｂが保持板１８Ｂに保持されている。保持板１８Ａ，１８Ｂの背面には、適切なバネ定数のゴムや樹脂等の部材を組み合わせることが、オゾン生成に優れ、後述の逆極印加にも有効な接触圧力を実現できる点で好ましい。
【００２０】
また、陽極電極２２と陰極電極２３との間には、電源装置（図示しない）の出力端２４が電気的に連結され、直流電圧が印加されるように構成されている。すなわち、陽極電極２２及び陰極電極２３は、各電極２２，２３に導線を介して電源装置に連結されている。陽極電極２２と陰極電極２３間に印加する直流電圧は、例えば６〜１５ボルトが好ましく、パルス波電流が好ましい。
【００２１】
複数枚の陽イオン交換膜２１a〜２１cとしては、従来公知のものを使用することができ、発生するオゾンに耐久性の強いフッ素系陽イオン交換膜を使用することができ、例えば厚さおよそ１００〜３００μｍが好ましい。また、陽極電極２２及び陰極電極２３よりも上下の長さが長くなっており、その上端部及び下端部が上述した挿入穴１６，１７にそれぞれ挿入されている。さらに、これら複数枚の陽イオン交換膜２１a〜２１cは、互いに質量が異なるもの、例えば陽極電極２２側の陽イオン交換膜２１aは厚いものを、陰極電極２３側の陽イオン交換膜２１cは薄いものを使用することが好ましい。これによって、オゾン発生にも優れ、汚染防止にも優れたオゾン生成装置１００とすることができる。
【００２２】
陽極電極２２は、織網状又はグレーチングメタル状とすることが好ましい、なお、図１中では、陽極電極２２が織網状の場合を示している。具体的に、織網状とは細い線材を格子状に織ったもので、グレーチングメタル状とは、線材を溶接したような一体格子状のものである。
【００２３】
陽極電極２２としては、オゾン発生触媒機能を有した金属を使用し、この金属としては白金又は白金被覆金属の電極を使用することが好ましい。
【００２４】
このように織網状やグレーチング状の陽極電極２２とすることによって、陽極電極２２を構成する部材の交点部位Ｐが尖って外面に突出し、水流と接触して渦流を生じ、陽極電極２２で発生したオゾンの微泡を巻き込んで溶解を早めることができる。
【００２５】
陰極電極２３としては、白金、銀、チタン等の金属や薄い銀製金網の表面を塩化銀被覆を施したものを使用することが好ましい。また、陰極電極２３も陽極電極２２と同様にグレーチング状とすることが好ましく、特に、陰極電極２３は陽極電極２２よりも目の粗さが粗くなるように形成されていることが好ましい。
以上の複数枚の陽イオン交換膜２１a〜２１c、陽極電極２２及び陰極電極２３は、それぞれ平板状に形成されており、これら複数枚の陽イオン交換膜２１a〜２１c、陽極電極２２及び陰極電極２３が密着して圧接されている。ここで、陽イオン交換膜２１a〜２１cと、陽極電極２２及び陰極電極２３との接合圧力は、図１(a)、(b)に示すように、通電できる状態でかつ後述するように逆極性の直流電圧の印加により陽イオン交換膜２１a〜２１cが変位できる範囲に調整する。すなわち、通電できる状態とは、陽イオン交換膜２１a〜２１cと陽極電極２２及び陰極電極２３が接触していることが条件となり、接触面圧を下げ、軽く接触させることが好ましい（例えば、図１(b)参照）。陽イオン交換膜２１a〜２１cが変位できる範囲とは、陽イオン交換膜の厚み、重ねる枚数などにより異なり、オゾンの生成状態や電歪現象を観察しながら決定することが好ましい。
【００２６】
そして、陽イオン交換膜２１a〜２１cの上端部及び下端部を各挿入穴１６，１７に挿入するとともに、保持板１８Ａに陽極電極２２を固定し、保持板１８Ｂに陰極電極２３を固定することによって触媒電極２がケーシング１内に取り付けられている。このように、陽イオン交換膜２１a〜２１cは陽極電極２２と陰極電極２３との間で保持されて、陽イオン交換膜２１a〜２１cの上下端部がケーシング１内に固定されている。
【００２７】
次に、上述の構成からなるオゾン水生成装置１００を使用したオゾン水生成方法について説明する。
陽極側供給口１２Ａ及び陰極側供給口１２Ｂから水をケーシング１内に供給して、陽極電極２２面及び陰極電極２３面に水を連続接触させる。同時に、電源装置を駆動させることによって陽極電極２２及び陰極電極２３間に所定の電圧を印加する。この通電により水が電気分解されて、陽極電極２２側にはオゾン気泡が発生し、陰極電極２３側には水素気泡が発生する。発生したオゾン気泡は水に溶解してオゾン水となり、陽極側排出口１４Ａから排出され、水素気泡は水に溶解して水素水となり、陰極側排出口１４Ｂから排出される。
【００２８】
このようにしてオゾン水が生成されると、一定時間以上の無通電時間を置いて逆極性の直流電圧を印加する。一定時間以上とは、例えば１分間以上とすることが好ましい。ここで、正極性とは、陽極電極２２を陽極とし陰極電極２３を陰極とすることを言い、逆極性とは、陽極電極２２を陰極とし陰極電極２３を陽極とすることを言う。実用的には２個の電磁接触器などの手段を用いて、正逆の切り換えを行い、所定の電圧を印加する。
【００２９】
なお、正極性の電圧印加と逆極性の電圧印加の変更時は、例えば、正極性の電圧を所定時間印加することによって自動的に逆極性の電圧印加に変更され、その後、逆極性の電圧を所定時間印加することによって自動的に正極性の電圧印加に変更されるように設定することが好ましい。
このように正極性から逆極性の電圧を印加することによって、吸水したゲル状の陽イオン交換膜２１a〜２１cが短時間の電気刺激によりミクロ状態で変位する。このため、陽イオン交換膜２１a〜２１cの経時疲労が回復し、付着したカルシウムやマグネシウム等の汚れ成分が除去される。その後、再び正極性の電圧を印加することによって、陽イオン交換膜２１a〜２１cの性能が低下することなく、繰り返しオゾン水を生成することができる。
【００３０】
以上のように、本発明の実施の形態によれば、吸水状態となった陽イオン交換膜２１a〜２１cに正極性の直流電圧を印加してオゾン水を生成した後、一定時間以上の無通電時間を置いて、逆極性の直流電圧を印加することにより、陽イオン交換膜２１a〜２１cの分子配列をみだりに撹乱することなく電気刺激が与えられて、電歪現象により、陽イオン交換膜２１a〜２１cの分子配列の乱れが矯正されて、元の膜性能に復帰させることができる。その結果、陽イオン交換膜２１a〜２１cの経時疲労の回復と、陽イオン交換膜２１a〜２１cに付着したカルシウムやマグネシウム等といった汚れ成分を除去することができる。これによって、陽イオン交換膜２１a〜２１cの性能が低下することなく、オゾン水生成効率の向上を図ることができる。また、従来のように液圧シリンダといった機械的な手段を必要とせずに、装置も単純となり小型化を図れ、安価に製造することができる
パルス波電流を印加するので、電歪現象を繰り返し起こさせることで、陽イオン交換膜２１a〜２１cの膜性能の劣化をより回復させることができる。特に、カルシウムやマグネシウム等の除去に有効となる。
【００３１】
なお、本発明は上記実施の形態に限定されるものではなく、その要旨を逸脱しない範囲で適宜変更可能である。
例えば、上記実施の形態では、陽イオン交換膜２１a〜２１cは三枚使用したが、一枚や二枚であっても良く、四枚以上であっても構わない。
【００３２】
また、上記実施の形態では、陽イオン交換膜２１a〜２１cの上下端部が、挿入穴１６，１７に挿入されて固定されているとしたが、陽イオン交換膜２１a〜２１cの上下端部が挿入穴１６，１７に挿入されずに、陽極電極２２及び陰極電極２３にのみ保持されて、陽イオン交換膜２１a〜２１cの陽極電極面２２側及び陰極電極面２３側以外の周面がフリーな状態とされていても良い。このように陽イオン交換膜２１a〜２１cの前記周面をフリーな状態とすることによって、陽イオン交換膜２１a〜２１cの変位が阻害されずに、電歪現象を起こし易い状態で保持することができる。
【００３３】
次に、本発明のオゾン水生成方法による実施例について説明する。
白金製の陽極電極を用い、銀に塩化銀被覆を施した陰極電極を使用し、厚さの異なる三枚の陽イオン交換膜にはデュポン製のナフイオン膜を使用した。そして、これら三枚の陽イオン交換膜、陽極電極及び陰極電極を重ね合わせて圧接した触媒電極を、図１に示すようにケーシング内の所定位置に配置し、陽極側供給口及び陰極側供給口から蒸留水を供給し、陽極電極及び陰極電極間に１２Ｖの正極性の直流電圧を印加したところ、流量５Ｌ／分において約２８Ａの電流が流れ、陽極側排出口から５ｐｐｍのオゾン水を得た。１８０分経過後、４ｐｐｍの濃度に低下したので、２分間の休止後、１秒間の逆極性の直流電圧を印加して電気刺激を与えることにより、元の５ｐｐｍのオゾン濃度に復帰したことが観察された。すなわち、経時劣化した陽イオン交換膜の膜性能が電気刺激により回復し、また、膜表面に付着したカルシウムやマグネシウムが離脱したためであると考えられる。また、経時疲労や汚れの度合いにより無通電時間の長短が考えられるが、上記実験によれば２分以上置けばほぼ問題なく回復することが認められる。したがって、本発明の効果が認められる。
【図面の簡単な説明】
【００３４】
【図１】オゾン水生成装置１００の側断面図であり、(a)は、陽イオン交換膜２１a〜２１cを強く圧接した場合を示し、(b)は、電歪現象を起こしやすくするため陽イオン交換膜２１a〜２１cを軽く接触した場合を示したものである。
【符号の説明】
【００３５】
２  触媒電極
２１a，２１b，２１c  陽イオン交換膜
２２  陽極電極
２３  陰極電極
１００  オゾン水生成装置
【図１】
2008150665.tif 000003